(57)【要約】【課題】両面読み取り時における原稿の第１面の読み取り画像の画質の劣化を防止できる画像読取装置を提供する。【解決手段】自動原稿送り装置３５を用いて読み取りを行う読み取りモードにおいて、片面読み取り時の原稿の搬送速度に比して、両面読み取り時の原稿の搬送速度が低速に設定される。これに対応して、両面読み取り時のＬＥＤアレイ２１の発光量が、片面読み取り時の発光量よりも低下される。例えば、両面読み取り時におけるＬＥＤアレイ２１中のＬＥＤの点灯個数、ＬＥＤに印加される電圧、又はＬＥＤの点灯Ｄｕｔｙが、片面読み取りの時よりも抑えられる。【選択図】図２
2009088857.tif 000002
【特許請求の範囲】
【請求項１】
所定の搬送路を搬送される原稿の第１面及び第２面をそれぞれ読み取る第１及び第２の読取部を備え、前記第１面のみを読み取る片面読み取り時の前記原稿の搬送速度が、前記第１面及び前記第２面を読み取る両面読み取り時の前記搬送速度よりも高速である画像読取装置において、
前記原稿の前記第１面に対する照明を行う第１の光源と、前記原稿の前記第２面に対する照明を行う第２の光源と、前記第１及び第２の光源を制御する制御部とを備え、
前記第１の光源はＬＥＤアレイによって構成され、
前記制御部は、前記両面読み取り時の前記第１の光源の光量を、前記片面読み取り時の光量よりも低下させることを特徴とする画像読取装置。
【請求項２】
請求項１に記載の画像読取装置において、
前記制御部は、前記両面読み取り時における前記第１の光源を構成する前記ＬＥＤアレイ中のＬＥＤの点灯個数を、前記片面読み取りの時よりも減らすことを特徴とする画像読取装置。
【請求項３】
請求項１に記載の画像読取装置において、
前記制御部は、前記両面読み取り時における前記第１の光源を構成する前記ＬＥＤアレイに印加する電圧を、前記片面読み取りの時よりも下げることを特徴とする画像読取装置。
【請求項４】
請求項１に記載の画像読取装置において、
前記制御部は、前記両面読み取り時における前記第１の光源を構成する前記ＬＥＤアレイの点灯Ｄｕｔｙを、前記片面読み取りの時よりも下げ、かつＬＥＤのオン／オフ周期をＣＣＤのライン周期と合わせることを特徴とする画像読取装置。
【発明の詳細な説明】
【技術分野】
【０００１】
本発明は、自動原稿送り装置によって搬送される原稿の両面を同時に読み取ることができる画像読取装置に関する。
【背景技術】
【０００２】
原稿の両面を読み取る画像読取装置としては、特許文献１に開示されているように、第１面を電荷結合素子（ＣＣＤ：Charge Coupled Device）で、第２面を密着型イメージセンサ（ＣＩＳ：Contact Image Sensor）で読み取るものがある。通常、ＣＣＤの光源としては冷陰極管が使われ、ＣＩＳの光源としてはＬＥＤアレイが用いられる場合が多い。ＬＥＤアレイは冷陰極管よりも輝度が小さいため、原稿１ラインの読み取り時間が長くなり、両面読み取りを行う場合には、ＣＩＳの読み取り速度に合わせて原稿を搬送している。
【特許文献１】特開平９−４６４８４号公報
【発明の開示】
【発明が解決しようとする課題】
【０００３】
ところで、近年はＬＥＤアレイの輝度が向上してきたため、ＬＥＤアレイをＣＣＤ等によって構成される第１面の読取部の光源として使用した場合にも、高速で読み取りができるようになってきている。しかし、原稿の第２面の読取部はコンパクトな構成が要求されるため、ＣＩＳ等により構成される第２面の読取部に備えられるＬＥＤアレイの輝度は放熱量の制限等によりそれほど上げられない。このため、両面読み取りの際には、原稿の搬送速度を第２面の読取部の読み取り速度に合わせなければならないのが現状である。この場合、第１面側で光源の光量の超過が生じ、第１面の読取部に用いられるＣＣＤが光量的に飽和し、Bloomingなどを起こし、画質が劣化する場合がある。
【０００４】
そこで、本発明の解決すべき課題は、両面読み取り時における原稿の第１面の読み取り画像の画質の劣化を防止できる画像読取装置の提供である。
【課題を解決するための手段】
【０００５】
上記の課題を解決するため、本発明では、所定の搬送路を搬送される原稿の第１面及び第２面をそれぞれ読み取る第１及び第２の読取部を備え、前記第１面のみを読み取る片面読み取り時の前記原稿の搬送速度が、前記第１面及び前記第２面を読み取る両面読み取り時の前記搬送速度よりも高速である画像読取装置において、前記原稿の前記第１面に対する照明を行う第１の光源と、前記原稿の前記第２面に対する照明を行う第２の光源と、前記第１及び第２の光源を制御する制御部とを備え、前記第１の光源はＬＥＤアレイによって構成され、前記制御部は、前記両面読み取り時の前記第１の光源の光量を、前記片面読み取り時の光量よりも低下させる。
【０００６】
また、本画像読取装置において、前記制御部は、前記両面読み取り時における前記第１の光源を構成する前記ＬＥＤアレイ中のＬＥＤの点灯個数を、前記片面読み取りの時よりも減らす。
【０００７】
また、本発明に係る画像読取装置において、前記制御部は、前記両面読み取り時における前記第１の光源を構成する前記ＬＥＤアレイに印加する電圧を、前記片面読み取りの時よりも下げる。
【０００８】
また、本発明に係る画像読取装置において、前記制御部は、前記両面読み取り時における前記第１の光源を構成する前記ＬＥＤアレイの点灯Ｄｕｔｙを、前記片面読み取りの時よりも下げ、かつＬＥＤのオン／オフ周期をＣＣＤのライン周期と合わせる。
【発明の効果】
【０００９】
本発明によれば、両面読み取り時の原稿の第１面用の第１の光源の光量を、片面読み取り時の光量よりも低下させる。それ故、両面読み取り時における原稿の第１面の光量の超過が防止でき、その結果、両面読み取り時の第１面の読み取り画像の画質の劣化を防止できる。
【００１０】
また、第１の光源にＬＥＤアレイを用いているため、第１の光源の光量を容易に調節できる。
【００１１】
また、本発明によれば、ＬＥＤアレイ中のＬＥＤの点灯個数を減らすことにより光量を低下させるため、容易にＬＥＤアレイの光量を低下できる。
【００１２】
また、本発明によれば、ＬＥＤアレイに印加する電圧を下げることにより光量を低下させるため、簡単な回路を用いてＬＥＤアレイの光量を低下できる。
【００１３】
また、本発明によれば、ＬＥＤアレイの点灯Ｄｕｔｙを下げることにより光量を低下させるため、ＬＥＤアレイに供給する電力に対する発光効率を維持しつつ、ＬＥＤアレイの光量を低下できる。かつ、ＬＥＤのオン／オフ周期をＣＣＤのライン周期と合わせているため、各ラインに対する光量を均一化でき、読み取りの画質を維持できる。
【発明を実施するための最良の形態】
【００１４】
図１は本発明の一実施形態である画像読取装置としてのファクシミリ複合装置（以下、単に「複合装置」という）のブロック図であり、図２はその複合装置の読取部の周辺の構成を模式的に示す図である。この複合装置１は、公衆交換電話網（ＰＳＴＮ：Public Switched Telephone Network）５に接続されるとともに、ＬＡＮ（Local Area Network）６を介して他の情報端末及びインターネット等に接続されている。また、この複合装置１は、コピーモード、プリンタモード、ファクシミリモードの各機能を備えるとともに、メールの送信及び受信する機能も備えている。
【００１５】
複合装置１は、図１に示すように、制御部としてのＭＰＵ（Micro Processing Unit）１１、フラッシュメモリ１２、ＲＡＭ（Random Access Memory）１３、メモリコントローラ１４、画像メモリ１５、コーデック１６、モデム１７、ＮＣＵ（Network Control Unit）１８、操作パネル１９、読取機構制御回路２０、第１及び第２の光源としてのＬＥＤアレイ２１，２２、第１及び第２の読取部としてのＣＣＤ２３，２４、読取画像信号処理回路２５，２６、プリント画像信号処理回路２７、プリンタ２８、ＬＡＮインターフェース（Ｉ／Ｆ）２９等を備えて構成されている。これらの各部はバス３０を介して接続されている。
【００１６】
ＭＰＵ１１はバス３０を介して複合装置１のハードウェアの各部を制御するとともに、フラッシュメモリ１２に記憶されたプログラムに基づいて各種のプログラムを実行する。フラッシュメモリ１２は、複合装置１の動作に必要な種々のプログラム及びデータを記憶している。また、ＲＡＭ１３は、プログラムの実行時に発生する一時的なデータを記憶する。
【００１７】
メモリコントローラ１４は、画像メモリ１５に対する画像データの書き込み、及び読み出しを制御する。画像メモリ１５は、ＳＤＲＡＭ（Synchronous Dynamic Random Access Memory）等を用いて構成され、送信すべき画像データ、受信した画像データ、及び読み取った画像データを記憶する。コーデック１６は、所定のプロトコルに対応して符号化及び復号を行うものである。このコーデック１６の処理として、読み取った原稿の画像データに対するＭＨ（Modified Huffman）、ＭＲ（Modified READ）、ＭＭＲ（Modified Modified READ）方式、ＴＩＦＦ（Tagged Image File Format）又はＪＰＥＧ（Joint Photographic Experts Group）方式による符号化、及び、ファクシミリ及び電子メール等で受信した画像データの復号などが含まれる。
【００１８】
モデム１７は、バス３０に接続されており、ファクシミリ通信のための機能を有している。このモデム１７には、同様にバス３０に接続されたＮＣＵ１８と接続されている。ＮＣＵ１８は、公衆交換電話網５への接続を行うハードウェアであり、必要に応じてモデム１７を公衆交換電話網５に接続する。
【００１９】
操作パネル１９は、複合装置１に対する操作の受け付け、及び、操作に必要な情報の表示等を行い、複数の操作キー、及び液晶表示装置等により構成された表示部を備えている。読取機構制御回路２０は、原稿載置台３１（図２参照）等を制御する。この原稿載置台３１は、複合装置１の上面部等に設けられ、セットされた原稿からの画像の読み取り等を行う。
【００２０】
ここで、原稿載置台３１の構成について図２を参照して説明する。原稿載置台３１は、図２に示すように、フラットベットスキャナ３２を備えた本体部３３と、その本体部３３の上面に対して開閉されるカバー体３４とを備えている。カバー体３４は、自動原稿送り装置３５及び読取ユニット３６を備えている。自動原稿送り装置３５には、原稿トレイ（図示せず）、排出トレイ（図示せず）、原稿が搬送される搬送路３７、及び原稿を搬送する搬送ローラ等を備えた搬送機構３８が備えられる。フラットベットスキャナ３２には、読取ユニット３９、ＬＥＤアレイ２１及び図示しない駆動機構が備えられる。読取ユニット３９及びＬＥＤアレイ２１は、後述する第１の読み取りモード時に前記駆動機構により副走査方向に移動される。
【００２１】
フラットベットスキャナ３２の読取ユニット３９には、ＣＣＤ２３、レンズ系３９１及び複数のミラー３９２が備えられる。原稿の第１面からの光が、複数のミラー３９２によって反射された後、レンズ系３９１を介してＣＣＤ２３に入射し、これによって原稿の第１面の画像がＣＣＤ２３によって読み取られる。ＬＥＤアレイ２１は、主走査方向に沿って配列された複数のＬＥＤを備えており、原稿の第１面を照明する。
【００２２】
カバー体３４の読取ユニット３６には、ＣＣＤ２４、レンズ系３６１、複数のミラー３６２及びＬＥＤアレイ２２が備えられる。原稿の第２面からの光が、複数のミラー３６２によって反射された後、レンズ系３６１を介してＣＣＤ２４に入射し、これによって原稿の第２面の画像がＣＣＤ２４によって読み取られる。ＬＥＤアレイ２２は、主走査方向に沿って配列された複数のＬＥＤを備えており、原稿の第２面を照明する。ＬＥＤアレイ２２は、第１面側のＬＥＤアレイ２１に比して狭い領域に収容される等の理由から、発熱量に関する制限が厳しく、最大出力（最大発光量）がＬＥＤアレイ２１よりも低く抑えられている。
【００２３】
この原稿載置台３１では、原稿をフラットベットスキャナ３２のプラテンガラス４０上にセットした状態で読み取りを行う第１の読み取りモードと、自動原稿送り装置３５を用いて読み取りを行う第２の読み取りモードが設けられている。また、自動原稿送り装置３５を用いたモードでは、原稿の第１面のみの読み取りを行う片面読み取りモードと、原稿の第１面及び第２面の読み取りを並行して行う両面読み取りモードが設けられている。
【００２４】
第１の読み取りモードでは、原稿がプラテンガラス４０上にセットされる。そして、前記駆動機構により読取ユニット３９及びＬＥＤアレイ２１が副走査方向に移動されつつ、ＬＥＤアレイ２１による原稿の第１面の照明及び読取ユニット３９による第１面の読み取りが行われる。
【００２５】
また、第２の読み取りモードの片面読み取りモードでは、原稿トレイにセットされた原稿が搬送機構３８によって搬送路３７内に導入されて、搬送路３７に沿って搬送された後、排出トレイに排出される。この場合の読み取りは、原稿が搬送路３７上の第１の読み取り位置３７１を通過するときに行われ、原稿の第１面が読み取られる。原稿の照明はＬＥＤアレイ２１によって行われ、読み取りは読取ユニット３９によって行われる。
【００２６】
また、第２の読み取りモードの両面読み取りモードでは、原稿トレイにセットされた原稿が搬送機構３８によって搬送路３７内に導入されて、搬送路３７に沿って搬送された後、排出トレイに排出される。この場合の読み取りは、原稿が搬送路３７上の第１の読み取り位置３７１及び第２の読み取り位置３７２を通過するときに行われる。第１の読み取り位置３７１にて原稿の第１面が読み取られ、第２の読み取り位置３７２にて原稿の第２面の読み取りが行われる。原稿の第１面に対する照明はＬＥＤアレイ２１によって行われ、読み取りは読取ユニット３９によって行われる。また、原稿の第２面に対する照明及び読み取りは読取ユニット３６によって行われる。
【００２７】
読取画像信号処理回路２５，２６は、ＣＣＤ２３，２４から与えられた画像信号に基づいて、デジタル画像データをそれぞれ生成するとともに、シェーディング補正等の各種の画像処理を実行する。読取画像信号処理回路２５，２６によって生成された画像データは、メモリコントローラ１４を介して画像メモリ１５に記憶される。
【００２８】
プリント画像信号処理回路２７は、プリント画像信号を処理してプリンタ２７に入力しする。プリンタ２７は、電子写真方式等のプリンタ装置であり、受信したデータ、コピー原稿データ、及び外部の情報端末から与えられたプリントデータをプリントする。ＬＡＮインターフェースは、ＬＡＮ６に接続され、ＬＡＮ６及びインターネットからの信号及びデータを受信するとともに、ＬＡＮ６及びインターネットに対して信号及びデータを送信する。
【００２９】
このように構成される複合装置１では、原稿の第２面の読み取りを行う読取ユニット３６の読み取り速度は、上述したＬＥＤアレイ２２の発熱量の制限のため、第１面の読み取りを行う読取ユニット３９の読み取り速度よりも低速に設定される。このため、自動原稿送り装置３５を用いて読み取りを行う第２の読み取りモードにおいて、片面読み取り時の原稿の搬送速度に比して、両面読み取り時の原稿の搬送速度が低速に設定される。これは、両面読み取り時には両方の読取ユニット３６，３９が用いられるため、読取ユニット３９の読み取り速度を読取ユニット３６の読み取り速度に合わせて遅くする必要があるからである。
【００３０】
これに対応して本実施形態では、ＭＰＵ１１の制御により、両面読み取り時のＬＥＤアレイ２１の発光量が、片面読み取り時の発光量よりも低下される。この場合の発光量の抑制量は、片面読み取り時と両面読み取り時の原稿の搬送速度（読み取り速度）の比に応じて設定される。
【００３１】
これによって、両面読み取り時における原稿の第１面の光量の超過が防止でき、その結果、両面読み取り時の原稿の第１面の読み取り画像の画質の劣化を防止できる。
【００３２】
また、原稿の第１面を照明する第１の光源としてＬＥＤアレイ２１を用いているため、第１面を照明する光の光量を容易に調節できる。
【００３３】
ＬＥＤアレイ２１の発光量を低下させる手法としては、次の構成が挙げられる。第１の構成として、両面読み取り時におけるＬＥＤアレイ２１中のＬＥＤの点灯個数を、片面読み取りの時よりも減らす構成が挙げられる。例えば、ＬＥＤアレイ２１に主走査方向に沿って配列された複数列のＬＥＤ列が設けられている場合、片面読み取り時にはすべてのＬＥＤ列を点灯させ、両面読み取り時には一部のＬＥＤ列のみを点灯させてもよい。
【００３４】
この第１の構成では、ＬＥＤアレイ２１中のＬＥＤの点灯個数を減らすことにより光量を低下させるため、容易にＬＥＤアレイの光量を低下できる。
【００３５】
また、第２の構成として、両面読み取り時にＬＥＤアレイ２１に印加する電圧を、片面読み取りの時よりも下げる構成が挙げられる。この第２の構成の場合、簡単な回路を用いてＬＥＤアレイ２１の光量を低下できる。
【００３６】
また、第３の構成として、ＬＥＤアレイ２１がＰＷＭ（Pulse-Width Modulation）方式で駆動されている場合には、ＬＥＤアレイ２１の点灯Ｄｕｔｙを調節する構成が挙げられる。ＰＷＭ方式では、図３に示すようにＬＥＤアレイ２１中の各ＬＥＤが周期的にオン、オフされる。そして、そのオン、オフが各１回行われる期間（１周期）５１中のオン期間５２の割合（点灯Ｄｕｔｙ）を変化させることにより、各ＬＥＤの単位時間当たりの発光量が調節できる。具体的には、両面読み取り時のＬＥＤアレイ２１の点灯Ｄｕｔｙが、片面読み取りの時よりも下げられ、これによって両面読み取り時のＬＥＤアレイ２１の発光量が片面読み取り時よりも低下される。この第３の構成の場合、ＬＥＤアレイ２１の点灯Ｄｕｔｙを下げることにより光量を低下させるため、ＬＥＤアレイ２１に供給する電力に対する発光効率を維持しつつ、ＬＥＤアレイ２１の光量を低下できる。また、ＬＥＤのオン／オフ周期を、ＣＣＤの１ライン読み取り周期に合わせることにより、どのラインに対する光量も同等にできる。
【００３７】
なお、上述の実施形態では、読取ユニット３６，３９をＣＣＤ２３，２４を用いて構成したが、読取ユニット３６，３９のいずれか一方又は両方をＣＣＤ２３，２４の代わりに密着型イメージセンサを用いて構成してもよい。
【図面の簡単な説明】
【００３８】
【図１】本発明の一実施形態である画像読取装置としてのファクシミリ複合装置のブロック図である。
【図２】図１のファクシミリ複合装置の読取部の周辺の構成を模式的に示す図である。
【図３】ＬＥＤアレイのＰＷＭ駆動の説明図である。
【符号の説明】
【００３９】
１  ファクシミリ複合装置
２１，２２  ＬＥＤアレイ
２３，２４  ＣＣＤ
３１  原稿載置台
３２  フラットベットスキャナ
３５  自動原稿送り装置
３７  搬送路
３６  読取ユニット
３８  搬送機構
３９  読取ユニット
１１  ＭＰＵ
【図１】
2009088857.tif 000003
【図２】
2009088857.tif 000004
【図３】
2009088857.tif 000005